(57)【要約】【課題】装置内の残留ドレンを低減する。【解決手段】ドレン回収システム１００は、蒸気を使用するヒータロール１と、ヒータロール１に蒸気を供給する蒸気管２と、ヒータロール１から排出されるドレンが流通する高圧ドレン管３と、高圧ドレン管３を流通するドレンよりも低圧のドレンが流通する低圧ドレン管４と、高圧ドレン管３と低圧ドレン管４とを連通させる連通管５１と、連通管５１の開通／遮断を切り替える第１ブロー弁５３と、第１ブロー弁５３を制御する制御部６とを備える。制御部６は、ヒータロール１への蒸気の供給停止に伴って第１ブロー弁５３を開いて連通管５１を開通させる。【選択図】図１
2019086230.tif 000002
【特許請求の範囲】
【請求項１】
蒸気を使用する装置と、
前記装置に蒸気を供給する蒸気管と、
前記装置から排出されるドレンが流通する第１ドレン管と、
前記第１ドレン管を流通するドレンよりも低圧のドレンが流通する第２ドレン管と、
前記第１ドレン管と前記第２ドレン管とを連通させる連通管と、
前記連通管の開通／遮断を切り替える第１弁と、
前記第１弁を制御する制御部とを備え、
前記制御部は、前記装置への蒸気の供給停止に伴って前記第１弁を開いて前記連通管を開通させることを特徴とするドレン回収システム。
【請求項２】
請求項１に記載のドレン回収システムにおいて、
前記第１ドレン管を大気に開放させる第２弁をさらに備え、
前記制御部は、前記第１弁の開弁後に、前記第２弁を開くことを特徴とするドレン回収システム。
【請求項３】
請求項２に記載のドレン回収システムにおいて、
前記制御部は、前記第１ドレン管の圧力が所定の圧力閾値以下となるか、又は、前記蒸気管と前記第１ドレン管との差圧が所定の差圧閾値以下となったときに前記第２弁を開くことを特徴とするドレン回収システム。
【請求項４】
請求項２又は３に記載のドレン回収システムにおいて、
前記第１ドレン管は、主流管と、前記装置と前記主流管とを接続する接続管とを有し、
前記装置は、前記主流管よりも低い位置に配置され、
前記第２弁は、前記接続管における前記主流管よりも低い位置に設けられていることを特徴とするドレン回収システム。
【請求項５】
蒸気を使用する装置と、前記装置に蒸気を供給する蒸気管と、前記装置から排出されるドレンが流通する第１ドレン管とを備えるドレン回収システムにおけるドレン回収方法であって、
前記装置への蒸気の供給停止を判定する工程と、
前記装置への蒸気の供給停止に伴って、前記第１ドレン管を流通するドレンよりも低圧のドレンが流通する第２ドレン管に前記第１ドレン管を連通させる工程とを含んでいることを特徴とするドレン回収方法。
【請求項６】
請求項５に記載のドレン回収方法において、
前記第１ドレン管を前記第２ドレン管に連通させた後に、前記第１ドレン管を大気に開放させる工程をさらに含むことを特徴とするドレン回収方法。
【発明の詳細な説明】
【技術分野】
【０００１】
ここに開示された技術は、ドレン回収システム及びドレン回収方法に関する。
【背景技術】
【０００２】
従来より、ドレンを回収するドレン回収システムが知られている。例えば、特許文献１に開示されたドレン回収システムにおいては、装置に蒸気供給ラインを介して蒸気が供給され、この装置において蒸気が使用される。装置において凝縮して発生したドレンは、ドレン回収ラインを介してドレンタンクに回収される。
【先行技術文献】
【特許文献】
【０００３】
【特許文献１】特開２０１７−１７２８３８号公報
【発明の概要】
【発明が解決しようとする課題】
【０００４】
ところで、システム全体の運転が停止すると、装置への蒸気の供給が停止される。蒸気の供給が停止すると、装置の上流側（即ち、蒸気側）と装置の下流側（即ち、ドレン側）との差圧が小さくなる。そのため、装置からドレンが排出されずに残留しやすくなる。装置にドレンが残留していると、運転を再開する際に残留ドレンを排出する時間が必要になり、再開までに時間を要する。さらには、寒冷地等において装置内の残留ドレンが凍結すると、装置を破損する虞もある。
【０００５】
ここに開示された技術は、かかる事情に鑑みてなされたものであり、その目的は、装置内の残留ドレンを低減することにある。
【課題を解決するための手段】
【０００６】
ここに開示されたドレン回収システムは、蒸気を使用する装置と、前記装置に蒸気を供給する蒸気管と、前記装置から排出されるドレンが流通する第１ドレン管と、前記第１ドレン管を流通するドレンよりも低圧のドレンが流通する第２ドレン管と、前記第１ドレン管と前記第２ドレン管とを連通させる連通管と、前記連通管の開通／遮断を切り替える第１弁と、前記第１弁を制御する制御部とを備え、前記制御部は、前記装置への蒸気の供給停止に伴って前記第１弁を開いて前記連通管を開通させる。
【０００７】
ここに開示されたドレン回収方法は、蒸気を使用する装置と、前記装置に蒸気を供給する蒸気管と、前記装置から排出されるドレンが流通する第１ドレン管とを備えるドレン回収システムにおけるドレン回収方法であって、前記装置への蒸気の供給停止を判定する工程と、前記装置への蒸気の供給停止に伴って、前記第１ドレン管を流通するドレンよりも低圧のドレンが流通する第２ドレン管に前記第１ドレン管を連通させる工程とを含んでいる。
【発明の効果】
【０００８】
前記ドレン回収システムによれば、装置内の残留ドレンを低減することができる。
【０００９】
前記ドレン回収方法によれば、装置内の残留ドレンを低減することができる。
【図面の簡単な説明】
【００１０】
【図１】図１は、ドレン回収システムの配管図である。
【図２】図２は、ドレン回収システムの停止動作のフローチャートである。
【図３】図３は、ドレン回収システムにおける第１停止動作中のドレンの流れを示す図である。
【図４】図４は、ドレン回収システムにおける第２停止動作中のドレンの流れを示す図である。
【図５】図５は、停止動作におけるタイミングチャートである。
【発明を実施するための形態】
【００１１】
以下、例示的な実施形態について図面を参照しながら説明する。図１は、ドレン回収システムの全体構成を示す図である。
【００１２】
ドレン回収システム１００は、蒸気を使用するヒータロール１と、ヒータロール１に蒸気を供給する蒸気管２と、ヒータロール１から排出されるドレンが流通する高圧ドレン管３と、高圧ドレン管３を流通するドレンよりも低圧のドレンが流通する低圧ドレン管４と、高圧ドレン管３と低圧ドレン管４とを連通させる連通管５１と、連通管５１の開通／遮断を切り替える第１ブロー弁５３と、高圧ドレン管３を大気に開放させる第２ブロー弁５４と、第１ブロー弁５３及び第２ブロー弁５４を制御する制御部６とを備えている。
【００１３】
蒸気管２は、蒸気主流管２０と、蒸気主流管２０から分岐してヒータロール１に接続される分岐管２１とを有している。蒸気管２、詳しくは、蒸気主流管２０は、ボイラ７に接続され、ボイラ７で生成された蒸気が流通している。尚、蒸気管２は、ボイラ７に代えて、蒸気ヘッダに接続されていてもよい。
【００１４】
ヒータロール１の内部には、分岐管２１を介して蒸気が供給される。ヒータロール１は、その外周面と接触する対象物を加熱する。ヒータロール１の内部では、蒸気が凝縮してドレンが発生する。ヒータロール１は、蒸気を使用する装置の一例である。
【００１５】
高圧ドレン管３は、ドレン主流管３０と、ヒータロール１から排出されるドレンを高圧ドレン管３０に合流させる接続管３１とを有している。ドレン主流管３０は、ヒータロール１よりも高い位置に配置されている。ドレン主流管３０には、高圧ドレン管３を流通するドレンの圧力を検出する圧力センサ３５が設けられている。ヒータロール１で発生したドレンは、接続管３１を介して排出され、ドレン主流管３０へ流入する。接続管３１には、ドレンを通過させる一方、蒸気の通過を防止するドレントラップ３３が設けられている。さらに、接続管３１には、ドレントラップ３３の下流側において、ドレン主流管３０の方へ向かう流れを許容し、その逆の流れを阻止する逆止弁３４が設けられている。ドレン主流管３０は、主流管の一例である。
【００１６】
連通管５１は、ドレン主流管３０と低圧ドレン管４とを接続している。第１ブロー弁５３は、連通管５１に設けられている。第１ブロー弁５３が開弁されることによって、連通管５１が開通し、高圧ドレン管３と低圧ドレン管４とが連通する。一方、第１ブロー弁５３が閉弁されることによって、連通管５１が遮断され、高圧ドレン管３と低圧ドレン管４とが遮断される。
【００１７】
接続管３１のうちドレントラップ３３よりも下流側の部分からブロー管５２が分岐している。ブロー管５２の下流端は、ドレンポット８４に接続され、大気に開放されている。第２ブロー弁５４は、ブロー管５２に設けられている。第２ブロー弁５４は、ブロー管５２の開通／遮断を切り替える。第２ブロー弁５４が開弁されることによって、ブロー管５２が開通し、接続管３１、ひいては、高圧ドレン管３が大気に開放される。一方、第２ブロー弁５４が閉弁されることによって、ブロー管５２が遮断され、接続管３１、ひいては、高圧ドレン管３が大気から遮断される。
【００１８】
ドレントラップ３３は、ドレン主流管３０よりも低い位置に配置されている。ブロー管５２は、接続管３１のうちドレン主流管３０よりも低い部分に接続されており、第２ブロー弁５４も、ドレン主流管３０よりも低い位置に配置されている。
【００１９】
高圧ドレン管３は、第１ドレン管の一例であり、低圧ドレン管４は、第２ドレン管の一例である。第１ブロー弁５３は、第１弁の一例であり、第２ブロー弁５４は、第２弁の一例である。
【００２０】
尚、ドレン主流管３０の下流端は、第１ポンプ８１に接続されている。第１ポンプ８１は、例えばエゼクタポンプであって、ドレンをボイラ７に供給する。低圧ドレン管４の下流端は、貯水タンク８３に接続されている。貯水タンク８３に貯留されたドレンは、第２ポンプ８２を介してボイラ７に供給される。第２ポンプ８２は、例えば電動ポンプである。このようにドレン回収システム１００は、ボイラ７、給水タンク８３、第１ポンプ８１及び第２ポンプ８２を含む蒸気システムの一部を構成している。
【００２１】
制御部６は、プロセッサで形成されている。制御部６には、圧力センサ３５の検出結果が入力される。制御部６は、第１ブロー弁５３及び第２ブロー弁５４を制御する。
【００２２】
続いて、ドレン回収システム１００の動作について説明する。
【００２３】
まず、ヒータロール１に蒸気が供給されている通常運転時のドレン回収システム１００の動作（以下、「通常動作」という）について説明する。通常動作においては、図１において太線の矢印に示すように、蒸気及びドレンが流通する。尚、太破線が蒸気の流れを表し、太実線がドレンの流れを表す。
【００２４】
詳しくは、ボイラ７が生成した蒸気は、蒸気主流管２０を流通し、その一部が分岐管２１を介してヒータロール１に供給される。ヒータロール１に供給された蒸気は、ヒータロール１に接触する対象物と熱交換して凝縮し、ドレンとなる。
【００２５】
ヒータロール１で発生したドレンは、接続管３１を介してヒータロール１から排出される。このドレンは、ドレントラップ３３及び逆止弁３４を通過し、ドレン主流管３０へ流入する。ドレン主流管３０へ流入したドレンは、ドレン主流管３０を流通し、第１ポンプ８１によってボイラ７に供給される。ボイラ７は、ドレンを加熱して、蒸気を生成する。
【００２６】
尚、通常動作時には、第１ブロー弁５３及び第２ブロー弁５４は、全閉状態となっている。
【００２７】
次に、ヒータロール１への蒸気の供給が停止されたときのドレン回収システム１００の動作（以下、「停止動作」という）について説明する。停止動作では、ドレン回収システム１００は、始めに第１停止動作を行い、続いて第２停止動作を行う。図２は、ドレン回収システム１００の停止動作のフローチャートである。図３は、ドレン回収システム１００における第１停止動作中のドレンの流れを示す図であり、図４は、ドレン回収システム１００における第２停止動作中のドレンの流れを示す図である。
【００２８】
詳しくは、制御部６は、ステップＳ１において、ヒータロール１への蒸気供給が停止されたか否かを判定する。例えば、ボイラ７を制御部６とは別の制御部が制御している場合には、別の制御部からボイラ７の停止を示す信号を制御部６が受け取ることによって、制御部６は蒸気供給が停止されたと判定する。あるいは、制御部６がボイラ７も制御している場合には、制御部６は、ボイラ７の停止をもって蒸気供給が停止されたと判定する。また、ボイラ７の下流側に蒸気ヘッダが設けられている場合には、蒸気ヘッダからの蒸気の流量を調整するバルブが全閉になったことをもって、制御部６は蒸気供給が停止されたと判定してもよい。ステップＳ１は、蒸気の供給停止を判定する工程の一例である。
【００２９】
制御部６は、ステップＳ１を繰り返し、ヒータロール１への蒸気供給の停止を監視する。
【００３０】
蒸気供給が停止されると、制御部６は、ステップＳ２において、第１停止動作を実行する。具体的には、制御部６は、第１ブロー弁５３を開く。第１ブロー弁５３が開弁されると、図３に示すように、ヒータロール１から排出されるドレンは、接続管３１、ドレン主流管３０、連通管５１の順に流れ、低圧ドレン管４へ流入する。低圧ドレン管４へ流入したドレンは、貯留タンク８３へ流入する。ステップＳ２は、第２ドレン管に第１ドレン管を連通させる工程の一例である。
【００３１】
その後、制御部６は、ステップＳ３において、圧力センサ３５の検出結果に基づいて高圧ドレン管３の圧力Ｐｈが所定の圧力閾値Ｐａ以下となるか否かを判定する。圧力閾値Ｐａは、通常運転時における高圧ドレン管５の設定圧力よりも低く且つ通常運転時における低圧ドレン管４の設定圧力よりも高い圧力に設定されている。例えば、通常運転時における低圧ドレン管４の設定圧力は大気圧であり、圧力閾値Ｐａは、大気圧よりも少し高い圧力である。高圧ドレン管３の圧力Ｐｈが圧力閾値Ｐａ以下となるまで、制御部６は、第１ブロー弁５３を開弁した状態を維持する。
【００３２】
高圧ドレン管３の圧力Ｐｈが圧力閾値Ｐａ以下となると、制御部６は、ステップＳ４において、第２停止動作を実行する。具体的には、制御部６は、第２ブロー弁５４を開く。第２ブロー弁５４が開弁されると、図４に示すように、ヒータロール１から排出されるドレンは、接続管３１及びブロー管５２の順に流れ、ドレンポット８４に流入する。ステップＳ４は、第１ドレン管を大気に開放させる工程の一例である。
【００３３】
こうして、制御部６は、停止動作を完了する。
【００３４】
このような停止動作における蒸気管２、高圧ドレン管３及び低圧ドレン管４の圧力変化について図５を参照しながら説明する。図５は、停止動作におけるタイミングチャートである。具体的には、図５は、第１ブロー弁５３の開閉、第２ブロー弁５４の開閉、蒸気供給の有無、並びに、蒸気管２、高圧ドレン管３及び低圧ドレン管４の圧力変化を示す。
【００３５】
まず、時間ｔ１において、ヒータロール１への蒸気供給が停止されると、第１ブロー弁５３が開弁される。このとき、第２ブロー弁５４は、閉弁されたままである。蒸気供給が停止されると、蒸気の熱が配管やヒータロール１に吸熱されることなどによって、蒸気管２の圧力Ｐｓは徐々に低下していく。高圧ドレン管３の圧力Ｐｈも低下するものの、蒸気管２の圧力低下率（即ち、低下速度）の方が高圧ドレン管３の圧力低下率よりも速い。そのため、第１ブロー弁５３を前述のように開弁しなければ、蒸気管２と高圧ドレン管３との差圧ΔＰが小さくなっていく。差圧ΔＰが小さくなると、ヒータロール１からドレンが排出され難くなり、ヒータロール１にドレンが残留しやすくなる。蒸気供給を再開してヒータロール１での加熱を再開するときには、ヒータロール１のドレンを排出する必要がある。ヒータロール１の残留ドレンが多いと、ヒータロール１での加熱再開までに要する時間が長くなる。さらには、寒冷地等においてヒータロール１の残留ドレンが凍結すると、ストレーナ等の部品が破損する虞もある。
【００３６】
それに対し、第１ブロー弁５３を開弁することによって、高圧ドレン管３が低圧ドレン管４に連通し、高圧ドレン管３の圧力低下率が大きくなる。これにより、蒸気管２と高圧ドレン管３との差圧ΔＰが維持される。その結果、ヒータロール１からのドレンの排出が促進される。
【００３７】
やがて、高圧ドレン管３の圧力Ｐｈが低圧ドレン管４の圧力Ｐｌに近づくと、高圧ドレン管３の圧力Ｐｈが低下し難くなり、蒸気管２と高圧ドレン管３との差圧ΔＰが小さくなってしまう。また、ヒータロール１がドレン主流管３０よりも低い位置に配置されるので、ヒータロール１にはヒータロール１からドレン主流管３０までの水頭に相当する圧力が作用している。このことによっても、ヒータロール１には、ドレンが残留しやすくなる。
【００３８】
そこで、高圧ドレン管３の圧力Ｐｈが圧力閾値Ｐａとなった時間ｔ２において、第２ブロー弁５４が開弁される。これにより、高圧ドレン管３の圧力Ｐｈがさらに低下するようになり、蒸気管２と高圧ドレン管３との差圧ΔＰが確保される。その結果、高圧ドレン管３の圧力Ｐｈが低圧ドレン管４の圧力Ｐｌに近づいたとしても、ヒータロール１からのドレンの排出が促進される。また、接続管３１への接続部を含むブロー管５２の全体がドレン主流管３０よりも低い位置に配置されているので、ヒータロール１に下流側から作用する水頭を低減することができる。より詳しくは、ブロー管５２の全体がヒータロール１よりも低い位置に配置されているので、ヒータロール１に下流側から作用する水頭を無くすことができる。
【００３９】
こうして、蒸気供給停止後のヒータロール１の残留ドレンを低減することができる。その結果、蒸気供給再開後のヒータロール１の運転再開を早期に実現することができる。また、寒冷地等においては、残留ドレンの凍結に起因するヒータロール１の部品の破損を防止することができる。
【００４０】
以上のように、ドレン回収システム１００は、蒸気を使用するヒータロール１（装置）と、ヒータロール１に蒸気を供給する蒸気管２と、ヒータロール１から排出されるドレンが流通する高圧ドレン管３（第１ドレン管）と、高圧ドレン管３を流通するドレンよりも低圧のドレンが流通する低圧ドレン管４（第２ドレン管）と、高圧ドレン管３と低圧ドレン管４とを連通させる連通管５１と、連通管５１の開通／遮断を切り替える第１ブロー弁５３（第１弁）と、第１ブロー弁５３を制御する制御部６とを備え、制御部６は、ヒータロール１への蒸気の供給停止に伴って第１ブロー弁５３を開いて連通管５１を開通させる。
【００４１】
換言すると、ドレン回収システム１００におけるドレン回収方法は、ヒータロール１（装置）への蒸気の供給停止を判定する工程と、ヒータロール１への蒸気の供給停止に伴って、高圧ドレン管３（第１ドレン管）を流通するドレンよりも低圧のドレンが流通する低圧ドレン管４（第２ドレン管）に高圧ドレン管３を連通させる工程とを含んでいる。
【００４２】
この構成によれば、蒸気の供給停止に伴って第１ブロー弁５３が開かれるので、高圧ドレン管３の圧力低下が促進され、蒸気管２と高圧ドレン管３の差圧、即ち、ヒータロール１の上流側と下流側の差圧が確保される。これにより、ヒータロール１からのドレンの排出が促進され、ヒータロール１の残留ドレンが低減される。
【００４３】
さらに、ドレン回収システム１００は、高圧ドレン管３を大気に開放させる第２ブロー弁５４（第２弁）をさらに備え、制御部６は、第１ブロー弁５３の開弁後に、第２ブロー弁５４を開く。
【００４４】
換言すると、ドレン回収システム１００におけるドレン回収方法は、高圧ドレン管３と低圧ドレン管３に連通させた後に、高圧ドレン管３を大気に開放させる工程をさらに含む。
【００４５】
この構成によれば、第１ブロー弁５３の開弁後に高圧ドレン管３の圧力が低下しづらくなっても、第２ブロー弁５４が開かれることによって高圧ドレン管３の圧力がさらに低下するようになる。高圧ドレン管３の圧力が低下しても、蒸気管２と高圧ドレン管３の差圧が確保されるので、ヒータロール１からのドレンの排出がさらに促進される。
【００４６】
また、制御部６は、高圧ドレン管３の圧力が所定の圧力閾値Ｐａ以下となったときに第２ブロー弁５４を開く。
【００４７】
この構成によれば、第１ブロー弁５３が開弁されてからしばらくの間は、第２ブロー弁５４は閉弁した状態で維持される。高圧ドレン管３の圧力が或る程度低下すると、第２ブロー弁５４が開かれる。換言すると、高圧ドレン管３の圧力が高いうちは第２ブロー弁５４が閉じられたままである。例えば、高圧ドレン管３が大気に開放されてもドレンが急激に再蒸発しない程度の圧力に高圧ドレン管３の圧力が低下すると、第２ブロー弁５４が開かれる。
【００４８】
さらに、高圧ドレン管３は、ドレン主流管３０（主流管）と、ヒータロール１とドレン主流管３０とを接続する接続管３１とを有し、ヒータロール１は、ドレン主流管３０よりも低い位置に配置され、第２ブロー弁５４は、接続管３１におけるドレン主流管３０よりも低い位置に設けられている。
【００４９】
この構成によれば、ヒータロール１には、ヒータロール１からドレン主流管３０の高さまでの水頭に相当する圧力が作用する。第２ブロー弁５４は、ドレン主流管３０よりも低い位置に設けられているので、前述の水頭を低減して、ヒータロール１からのドレンの排出を容易にすることができる。
【００５０】
《その他の実施形態》
以上のように、本出願において開示する技術の例示として、前記実施形態を説明した。しかしながら、本開示における技術は、これに限定されず、適宜、変更、置き換え、付加、省略などを行った実施の形態にも適用可能である。また、前記実施形態で説明した各構成要素を組み合わせて、新たな実施の形態とすることも可能である。また、添付図面および詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５１】
前記実施形態について、以下のような構成としてもよい。
【００５２】
例えば、蒸気を使用する装置は、ヒータロール１に限定されない。蒸気を使用し、ドレンが発生する装置であれば任意の装置を採用することができる。
【００５３】
ドレン回収システム１００の前述の構成は、一例に過ぎず、これに限定されない。例えば、ヒータロール１は、高圧ドレン管３のドレン主流管３０よりも低い位置に配置されているが、これに限定されない。また、ドレン回収システム１００は蒸気システムに組み込まれているが、これに限定されるものではない。また、蒸気システムの構成も、ボイラ７、給水タンク８３、第１ポンプ８１及び第２ポンプ８２を備える前述の構成に限定されない。
【００５４】
第１ブロー弁５３を開弁するタイミングは、蒸気の供給停止に伴っていれば任意に設定することができる。例えば、第１ブロー弁５３の開弁は、蒸気の供給停止と同時でもよいし、蒸気の供給停止後しばらくしてからでもよいし、蒸気の供給停止の直前であってもよい。
【００５５】
また、第２ブロー弁５４を開弁するタイミングは、第１ブロー弁５３の開弁後であれば任意に設定することができる。例えば、蒸気管２の圧力Ｐｓと高圧ドレン管３の圧力Ｐｈと差圧ΔＰが所定の差圧閾値以下となると、第２ブロー弁５４が開かれてもよい。
【産業上の利用可能性】
【００５６】
以上説明したように、ここに開示された技術は、ドレン回収システム及びドレン回収方法について有用である。
【符号の説明】
【００５７】
１００      ドレン回収システム
１          ヒータロール（装置）
２          蒸気管
３          高圧ドレン管（第１ドレン管）
３０        ドレン主流管（主流管）
３１        接続管
４          低圧ドレン管（第２ドレン管）
５１        連通管
５３        第１ブロー弁（第１弁）
５４        第２ブロー弁（第２弁）
６          制御部
【図１】
2019086230.tif 000003
【図２】
2019086230.tif 000004
【図３】
2019086230.tif 000005
【図４】
2019086230.tif 000006
【図５】
2019086230.tif 000007